(57)【要約】【課題】本発明は、デングウイルス感染の診断を簡易かつ迅速に行うことができる免疫クロマト分析装置に関し、フラビウイルス科に属する、デングウイルス以外のウイルスに対する交叉反応を軽減し、デングウイルスを特異的に検出することができる免疫クロマト分析装置を提供することを目的とする。【解決手段】本発明は、試料添加部と、標識物質保持部と、検出部を有するクロマトグラフ媒体部と、吸収部とを含む、デングウイルスを検出するための免疫クロマト分析装置であって、前記標識物質保持部が、配列番号１で示されるデングウイルスＮＳ１の全アミノ酸配列中に存在する配列番号２で示されるアミノ酸配列を認識する第１抗体を含有し、且つ前記検出部が、デングウイルスＮＳ１の立体構造を認識する第２抗体を含有する、免疫クロマト分析装置に関する。【選択図】図１
2020122773.tif 000002
【特許請求の範囲】
【請求項１】
試料添加部と、標識物質保持部と、検出部を有するクロマトグラフ媒体部と、吸収部とを含む、検体中のデングウイルスを検出するための免疫クロマト分析装置であって、
前記標識物質保持部が、配列番号１で示されるデングウイルスＮＳ１の全アミノ酸配列中に存在する配列番号２で示されるアミノ酸配列を認識する第１抗体を含有し、且つ
前記検出部が、デングウイルスＮＳ１の立体構造を認識する第２抗体を含有する、免疫クロマト分析装置。
【請求項２】
前記検出部が、さらに配列番号１で示されるデングウイルスＮＳ１の全アミノ酸配列中に存在する配列番号２で示されるアミノ酸配列を認識する抗体を含有する、請求項１に記載の免疫クロマト分析装置。
【請求項３】
請求項１または２に記載の免疫クロマト分析装置と、検体を希釈して展開するための検体希釈液とを含む、免疫クロマト分析キット。
【請求項４】
請求項３に記載の免疫クロマト分析キットを用いて、検体中のデングウイルスを検出する免疫クロマト分析方法であって、以下の工程（１）〜（４）を含む免疫クロマト分析方法。
（１）検体希釈液により検体を希釈した検体含有液を試料として、試料添加部に添加する工程
（２）標識物質保持部に保持されている配列番号１で示されるデングウイルスＮＳ１の全アミノ酸配列中に存在する配列番号２で示されるアミノ酸配列を認識する第１抗体により、検体中のデングウイルスを認識させる工程
（３）前記検体及び前記抗体を移動相としてクロマトグラフ媒体部に展開させる工程
（４）展開された前記移動相中のデングウイルスを、検出部に含まれるデングウイルスＮＳ１の立体構造を認識する第２抗体により検出する工程
【発明の詳細な説明】
【技術分野】
【０００１】
本発明は、デングウイルスを検出するための免疫クロマト分析装置、免疫クロマト分析キットおよび免疫クロマト分析方法に関する。
【背景技術】
【０００２】
デングウイルス感染症を引き起こすデングウイルス（Ｄｅｎｇｕｅ  ｖｉｒｕｓ）は、ジカウイルス、日本脳炎ウイルス、ウエストナイルウイルス等とともにフラビウイルス科（Ｆｒａｖｉ  ｖｉｒｕｓ）に属するウイルスである。
【０００３】
デングウイルスは、蚊によって媒介され、デング熱やデング出血熱といったデングウイルス感染症を引き起こす。デングウイルス感染症は当初、熱帯地域及び亜熱帯地域で問題視されており、近年は日本国においても、デング熱の感染事例が報告され、さらに在来種の蚊からもデングウイルスが検出されている（非特許文献１）。  
【０００４】
デングウイルス感染症に関しては、現在のところ有効な薬剤やワクチンは開発されていない。一方、デングウイルス感染の拡大を防止するため、デングウイルス感染の早期診断が望まれている。
【０００５】
従来、デングウイルス感染の診断は、血液検査、尿検査、唾液検査において、ＲＴ−ＰＣＲ法による血液中のウイルス遺伝子の検出、免疫クロマト試薬による非構造タンパク抗原（ＮＳ１抗原）の検出により行われてきた。また、血清学的手法として、デングウイルス感染者が体内に有するデングウイルスに対する抗体（ＩｇＭやＩｇＧ等）をＥＬＩＳＡ法や蛍光抗体法で検出することも行われてきた。
【先行技術文献】
【非特許文献】
【０００６】
【非特許文献１】Siew Pheng Lim et al., Antiviral Research, 100 (2013), 500-519
【発明の概要】
【発明が解決しようとする課題】
【０００７】
しかしながら、上記ＲＴ−ＰＣＲ法によるデングウイルス感染の診断には、特別な設備や試薬等が必要であるためコストがかかり、またこれらの検査には半日から一日程度の時間がかかり、検査結果が得られるまで長時間を要していた。
【０００８】
また、上記のデングウイルスに対する抗体を検出する方法は、デングウイルスを直接検出するものではなく、デングウイルスに感染してから所定期間経過後にヒトの体内で作られるＩｇＭやＩｇＧを検出することにより、間接的にデングウイルス感染の診断を行うものであるため、デングウイルス感染初期の診断としては不適であった。また当該方法は、デングウイルスを直接検出するものではないため、例えば、デングウイルスと同じフラビウイルス科に属するジカウイルス、日本脳炎ウイルス、ウエストナイルウイルスの感染と区別して診断することは難しかった。そのため、デングウイルスを直接検出することにより、感染初期からデングウイルス感染の診断を行う手段が求められている。
【０００９】
さらに、免疫クロマト試薬によるＮＳ１抗原の検出においては、前記したデングウイルスと同じフラビウイルス科に属するウイルスとの交叉反応があること、また交叉反応性の低い試薬は感度が低くなり実使用が難しかった。そのため、流行地域や症状が似ているウイルスと交叉反応性が無く、高感度且つ迅速にデングウイルスを検出することができる手段が求められている。
【００１０】
そこで本発明は、デングウイルス感染の診断を簡易かつ迅速に行うことのできる免疫クロマト分析装置を提供することを目的とする。また、デングウイルス自体を直接検出することにより、デングウイルス感染を早期に発見でき、かつ、デングウイルス以外のフラビウイルス科に属するウイルスに対する交叉反応が軽減され、デングウイルスを特異的に検出することのできる免疫クロマト分析装置を提供することを目的とするものである。
【課題を解決するための手段】
【００１１】
本発明者らは、上記課題を解決すべく鋭意研究した結果、免疫クロマト分析装置において、デングウイルスの非構造性タンパク質であるＮＳ１（ｎｏｎｓｔｒｕｃｔｕｒａｌ  ｐｒｏｔｅｉｎ  ＮＳ１、以下単にデングウイルスＮＳ１、又はＮＳ１ともいう）を認識する抗体を用いることによって、上記課題を解決できることを見出し、本発明を完成させた。
【００１２】
すなわち、本発明は以下の通りである。
１．試料添加部と、標識物質保持部と、検出部を有するクロマトグラフ媒体部と、吸収部とを含む、検体中のデングウイルスを検出するための免疫クロマト分析装置であって、
前記標識物質保持部が、配列番号１で示されるデングウイルスＮＳ１の全アミノ酸配列中に存在する配列番号２で示されるアミノ酸配列を認識する第１抗体を含有し、且つ
前記検出部が、デングウイルスＮＳ１の立体構造を認識する第２抗体を含有する、免疫クロマト分析装置。
２．前記検出部が、さらに配列番号１で示されるデングウイルスＮＳ１の全アミノ酸配列中に存在する配列番号２で示されるアミノ酸配列を認識する抗体を含有する、前記１に記載の免疫クロマト分析装置。
３．前記１または２に記載の免疫クロマト分析装置と、検体を希釈して展開するための検体希釈液とを含む、免疫クロマト分析キット。
４．前記３に記載の免疫クロマト分析キットを用いて、検体中のデングウイルスを検出する免疫クロマト分析方法であって、以下の工程（１）〜（４）を含む免疫クロマト分析方法。
（１）検体希釈液により検体を希釈した検体含有液を試料として、試料添加部に添加する工程
（２）標識物質保持部に保持されている配列番号１で示されるデングウイルスＮＳ１の全アミノ酸配列中に存在する配列番号２で示されるアミノ酸配列を認識する第１抗体により、検体中のデングウイルスを認識させる工程
（３）前記検体及び前記抗体を移動相としてクロマトグラフ媒体部に展開させる工程
（４）展開された前記移動相中のデングウイルスを、検出部に含まれるデングウイルスＮＳ１の立体構造を認識する第２抗体により検出する工程
【発明の効果】
【００１３】
本発明は、標識物質保持部と検出部を有する免疫クロマト分析装置において、標識物質保持部にデングウイルスが有する非構造性タンパク質であるＮＳ１の全アミノ酸配列中に存在する配列番号２で示されるアミノ酸配列を認識する第１抗体を含有し、且つ検出部にデングウイルスＮＳ１の立体構造を認識する第２抗体を含有することによって、デングウイルス以外の他のウイルス等との交叉反応を抑え、デングウイルスを迅速かつ特異的に検出することができる。
【図面の簡単な説明】
【００１４】
【図１】図１は、本発明の一実施形態の免疫クロマト分析装置の構造を説明するための断面図である。
【図２】図２は、親水性プロットの結果を示す。縦軸は親水度のスコアを示し、横軸は配列番号１で示されるアミノ酸配列におけるＮ末端からのアミノ酸の位置を示す。
【図３】図３は、競合阻害ＥＬＩＳＡ試験の結果を示す。縦軸は吸光度を示す。
【図４】図４は、ドットブロット法の結果を示す。
【図５】図５（Ａ）及び（Ｂ）は、ウエスタンブロット法の結果を示す。
【図６】図６（Ａ）〜（Ｄ）は、各検体含有液を各免疫クロマト分析装置の試料添加部に滴下し展開させ、検出部における発色強度を測定した結果を示す。
【図７】図７は、各免疫クロマト分析キットを用い、交叉反応性を評価した結果を示す。
【図８】図８は、ハーフストリップ法によりＳ／Ｎ比を求めた結果を示す。
【発明を実施するための形態】
【００１５】
以下に、本発明を実施するための形態を説明する。
【００１６】
なお、本明細書において、「固定」とは、抗体が移動しないように膜等の担体に配置されていることを意味し、「保持」とは、膜等の担体の中または表面を移動可能に配置されることを意味する。
【００１７】
また、本明細書において、抗体が特定のタンパク質を「認識する」とは、抗原抗体反応により抗体が当該タンパク質の有するアミノ酸配列の一部と結合することを示す。また、抗体が特定のアミノ酸配列を「認識する」とは、抗体が、特定のアミノ酸配列の全体又はその一部と抗原抗体反応により結合することを示す。
【００１８】
抗体が、特定のアミノ酸配列の全体又はその一部と抗原抗体反応により結合するか否かは、周知の免疫測定方法により行うことができる。免疫測定方法としては、免疫測定方式で分類すれば、例えば、サンドイッチ法、競合法、凝集法などが挙げられる。また、用いる標識で分類すれば、例えば、蛍光法、酵素法、放射法などが挙げられる。これらのいずれの免疫測定方法によっても抗原抗体反応の確認を行うことができる。
【００１９】
本発明に用いることのできる検体は、デングウイルスを含む可能性のあるものであれば特に制限されない。検体としては、例えば、デングウイルス感染者の血清、血漿、全血、精液、髄液等が挙げられる。好ましくは、迅速診断の観点から、全血、血清又は血漿である。
【００２０】
＜免疫クロマト分析装置＞
本発明の免疫クロマト分析装置は、検体を含有する試料（以下、単に試料ともいう）を添加する試料添加部と、標識物質を保持する標識物質保持部と、デングウイルスを検出する検出部を有するクロマトグラフ媒体部と、検出部を通過した液体を吸収する吸収部とを備える。
【００２１】
本発明の免疫クロマト分析装置は、標識物質保持部が、配列番号１で示されるデングウイルスの非構造性タンパク質であるＮＳ１の全アミノ酸配列中に存在する配列番号２で示されるアミノ酸配列を認識する第１抗体を含有し、且つ前記検出部が、デングウイルスＮＳ１の立体構造を認識する第２抗体を含有することを特徴とする。
【００２２】
デングウイルスは、血清型で４つのウイルス型、ＤＥＮＶ−１、ＤＥＮＶ−２、ＤＥＮＶ−３、ＤＥＮＶ−４に分類され、他のフラビウイルスと同様にウイルスの複製等に関わるタンパク質であることが示唆されている。ＤＥＮＶ−１のＮＳ１は配列番号１で示される全長３５２アミノ酸のアミノ酸配列からなり、他の血清型のＮＳ１と高い相同性を示す。
【００２３】
他の血清型のＮＳ１のアミノ酸配列として、ＤＥＮＶ−２のＮＳ１のアミノ酸配列を配列番号９、ＤＥＮＶ−３のＮＳ１のアミノ酸配列を配列番号１０、ＤＥＮＶ−４のＮＳ１のアミノ酸配列を配列番号１１にそれぞれ示す。
【００２４】
配列番号１で示されるＮＳ１の全アミノ酸配列のうち、配列番号３で示されるアミノ酸配列は１２〜３５番目のアミノ酸、配列番号２で示されるアミノ酸配列は１００番目から１２２番目のアミノ酸、配列番号４で示されるアミノ酸配列は１３５〜１５１番目のアミノ酸、配列番号５で示されるアミノ酸配列は１９３〜２２２番目のアミノ酸、配列番号６で示されるアミノ酸配列は２４８〜２７１番目のアミノ酸、配列番号７で示されるアミノ酸配列は２８２〜３０６番目のアミノ酸、配列番号８で示されるアミノ酸配列は３２５〜３５２番目のアミノ酸からなる。
【００２５】
第１抗体及び第２抗体が認識するＮＳ１は、ウイルスから分離された天然のタンパク質でもよく、公知となっているＮＳ１をコードする遺伝子の塩基配列に基づいて作製された組換えタンパク質でもよい。また、第１抗体及び第２抗体が認識するＮＳ１は、ウイルスの構成成分から分離・精製されたものでも未精製のものでもよいが、分離されていない場合はＮＳ１と抗体との接触が容易となるように界面活性剤で処理されたウイルスに由来するＮＳ１であってもよい。
【００２６】
本発明においては、比較的アミノ酸変異が起こりづらく特異性及び検出感度を高める観点から、デングウイルスが有する種々のタンパク質の中でも特にＮＳ１を認識する抗体を用いることによって、デングウイルス以外の他のウイルス等との交叉反応を抑え、デングウイルスを特異的に検出することができるものである。
【００２７】
本発明の免疫クロマト分析装置における標識物質保持部に含有する第１抗体は、ＮＳ１の全アミノ酸配列中に存在する配列番号２で示されるアミノ酸配列を認識する第１抗体を含有する。このことにより、デングウイルス以外の他のウイルス等との交叉反応を抑え、デングウイルスを迅速かつ特異的に検出することができる。配列番号２のアミノ酸配列は、配列番号１で示されるＮＳ１の全アミノ酸配列のうち１００番目から１２２番目までのアミノ酸配列に該当する。
【００２８】
第１抗体が「配列番号１で示されるデングウイルスＮＳ１の全アミノ酸配列中に存在する配列番号２で示されるアミノ酸配列を認識する」とは、具体的には例えば、全長のデングウイルスＮＳ１と、配列番号２で示されるアミノ酸配列から成るペプチドとの実施例にて後述するＥＬＩＳＡ法による競合阻害試験（競合阻害ＥＬＩＳＡ試験）を行ったときに、デングウイルスＮＳ１に対する抗体の反応が配列番号２で示されるアミノ酸配列から成るペプチドの存在により競合阻害されることをいう。検出感度及び特異性を高める観点から、実施例にて後述する競合阻害ＥＬＩＳＡ試験における吸光度が、配列番号２で示されるアミノ酸配列からなるペプチドを添加しない場合（コントロール）の吸光度を１００％としたときに、５０％以下であることが好ましく、より好ましくは２５％以下であり、さらに好ましくは１２．５％以下、特に好ましくは１０％以下、最も好ましくは５％以下である。
【００２９】
第１抗体は、ＮＳ１の全アミノ酸配列中に存在する配列番号３〜８でそれぞれ示されるアミノ酸配列を実質的に認識しないことが好ましい。このことにより、特異性及び検出感度をより向上できる。本発明において抗体が「アミノ酸配列を実質的に認識しない」とは、具体的には例えば、参考例１において後述する競合阻害ＥＬＩＳＡ試験において、吸光度がコントロールに対し−２５％以内の範囲であることをいう。
【００３０】
本発明の免疫クロマト分析装置における検出部は、ＮＳ１の立体構造を認識する第２抗体を含有する。第２抗体が認識するＮＳ１は、天然に存在するデングウイルスのＮＳ１の立体構造の少なくとも特定の抗体との抗原抗体反応を維持するのに十分な立体構造が残されているものであればよく、ＳＤＳ−ＰＡＧＥ（ＳＤＳ−ポリアクリルアミドゲル電気泳動）などによって天然に存在するＮＳ１の立体構造が破壊されて、当該抗体に対するＮＳ１との実質的な抗原抗体反応を維持することができなくなったものは除かれる。
【００３１】
第２抗体としては、天然に存在するＮＳ１における抗原抗体反応を行う部位の立体構造が破壊された当該タンパク質とは実質的に抗原抗体反応しない抗体であればよい。このような抗体としては、例えば、ＳＤＳ−ＰＡＧＥによって分離された全長のデングウイルスＮＳ１とはウエスタンブロット法で抗原抗体反応しない抗体が挙げられる。
【００３２】
本発明において「ウエスタンブロット法で抗原抗体反応しない」とは、標準的なウエスタンブロット法における抗体濃度、抗原濃度、基質濃度、又は反応時間などの条件下で、検出可能なレベルで抗原抗体反応をしないことをいう。
【００３３】
第２抗体が、ＳＤＳ−ＰＡＧＥによって分離された全長のデングウイルスＮＳ１とはウエスタンブロット法で抗原抗体反応しないことの確認は、例えば、ウエスタンブロット法でデングウイルスＮＳ１と抗原抗体反応することが確認されている市販の抗体を陽性コントロールの抗体として用い、陽性コントロールの抗体がポリビニリデンジフルオリド（ＰＶＤＦ）膜上のデングウイルスＮＳ１と抗原抗体反応し、ＮＳ１を検出できる条件下で、デングウイルスＮＳ１を検出できないことを１つの基準として行うことができる。
【００３４】
本発明における「ＳＤＳ−ＰＡＧＥ」とは、本発明が属する技術分野で慣用されているタンパク質の分離・分析法であり、代表的にはLaemmli, U.K.の方法（Nature, 227 : 680-685 (1970)）に従って行うことができるが、この方法に限定されるものではない。
【００３５】
具体的には、例えば、以下の手順により実施することができる。先ず、ゲル板に１０〜１５％濃度のポリアクリルアミドからなる分離ゲル、その上に３〜５％ポリアクリルアミドからなる濃縮ゲルを重層し、作製したゲルをスラブ型電気泳動装置に取り付ける。デングウイルスＮＳ１を含有する溶液に等量の２倍濃縮サンプルバッファー（１２５ｍＭ  Ｔｒｉｓ−ＨＣｌ、２０％  グリセロール、２％  ＳＤＳ、２％  ２−メルカプトエタノール、０．００１％  ブロモフェノールブルー、ｐＨ６．８）を添加し、１００℃で５〜１０分間加熱処理し、泳動用試料とする。泳動用試料及び市販の分子量マーカーを濃縮ゲルに作製されたレーンにそれぞれ添加し、泳動用バッファー（１９２ｍＭ  グリシン、０．１％  ＳＤＳ、２４ｍＭ  Ｔｒｉｓ、ｐＨ８．３）を用いて、２０ｍＡの定電流で３０〜９０分間泳動を行う。ＳＤＳ−ＰＡＧＥによって分離される全長のデングウイルスＮＳ１は、分離ゲル中の分子量約４２ｋＤａに相当するバンドとして得ることができる。
【００３６】
ＳＤＳ−ＰＡＧＥに用いられるデングウイルスＮＳ１を含有する溶液は、最終的に行うウエスタンブロット法において、抗体と抗原抗体反応をするのに十分な量、例えば１〜２ｍｇ、のデングウイルスＮＳ１を含有していればいかなるものにも限定されず、ＮＳ１に関して精製されていても精製されていなくてもよい。デングウイルスＮＳ１を含有する溶液としては、例えば、デングウイルス懸濁液、市販のデングワクチン及び組換えデングウイルスＮＳ１溶液などが挙げられる。
【００３７】
ＳＤＳ−ＰＡＧＥに用いられる２倍濃縮サンプルバッファー中のＳＤＳは、ＳＤＳの結合量がタンパク質１に対して１．２〜１．５程度であることを考慮して、デングウイルスＮＳ１の量に応じて０．５〜５重量％の濃度範囲で適宜変更して用いることができる。また、２倍濃縮サンプルバッファー中の２−メルカプトエタノールは、デングウイルスＮＳ１に存在するジスルフィド結合を切断する還元剤として作用し、１〜１０重量％の濃度範囲で適宜変更して用いてもよく、ジチオスライトール（ＤＴＴ）などの他の物質からなる還元剤を用いることもできる。
【００３８】
本発明における「ウエスタンブロット法」とは、ＳＤＳ−ＰＡＧＥによって分離された全長のデングウイルスＮＳ１を、例えばTowbin H.らの方法［Proc.Natl.Acad.Sci. U.S.A., 76 : 4350-4354 (1979)］に従ってＰＶＤＦ膜に転写することによって行うことができるが、この方法に限定されるものではない。
【００３９】
具体的には、例えば、ＰＶＤＦ膜を１００％メタノールに１０秒間、さらに転写用電極バッファー（１９２ｍＭ  グリシン、５％  メタノール、２５ｍＭ  Ｔｒｉｓ−ＨＣｌ、ｐＨ８．３）に３０分間浸潤し、転写に用いる。転写装置の組み立ては、陽極電極板上に下から順にろ紙、ＰＶＤＦ膜、ＳＤＳ−ＰＡＧＥが終了したゲル、ろ紙を重層し、その上に陰極電極板を固定することにより行う。なお、ろ紙は予め転写用電極バッファーに２〜３分間浸しておく。
【００４０】
転写は１．９ｍＡ／ｃｍ２の定電流で６０〜９０分間で行う。転写終了後のＰＶＤＦ膜は、ブロッキング溶液［０．５％  牛血清アルブミン（ＢＳＡ）、１０ｍＭ  Ｔｒｉｓ−ＨＣｌ、１４０ｍＭ  ＮａＣｌ、０．０１％  Ｔｗｅｅｎ２０、ｐＨ７．５］中、室温で６０分間インキュベートし、ブロッキング操作を行う。ブロッキング終了後、洗浄バッファー（１０ｍＭ  Ｔｒｉｓ−ＨＣｌ、１４０ｍＭ  ＮａＣｌ、０．０１％  Ｔｗｅｅｎ２０、ｐＨ７．５）で５分間、２回インキュベートして洗浄し、一次抗体として前記の第２抗体（デングウイルスＮＳ１抗体）を用いて、室温で９０分間インキュベートして反応させる。
【００４１】
一次抗体との反応終了後、洗浄バッファーで５分間、２回インキュベートして洗浄し、二次抗体として、例えば酵素、蛍光物質又は放射性同位元素などの標識物質で標識された、一次抗体に特異的に反応する抗体を用いて、室温で６０分間インキュベートして反応させる。二次抗体との反応終了後、洗浄バッファーで５分間、２回インキュベートして洗浄した後、標識物質の性質を利用してＰＶＤＦ膜に転写されたデングウイルスＮＳ１に結合した一次抗体を可視化することにより、ウエスタンブロット法における検出を行う。
【００４２】
第２抗体として、検出感度及び特異性を高める観点から、ウエスタンブロット法において、陽性コントロールの抗体がデングウイルスＮＳ１を検出できる抗体濃度と同じ抗体濃度でデングウイルスＮＳ１と抗原抗体反応しない抗体が好ましく、より好ましくは２倍の抗体濃度でデングウイルスＮＳ１と反応しない抗体、さらに好ましくは５倍又は１０倍の抗体濃度でデングウイルスＮＳ１と抗原抗体反応しない抗体である。
【００４３】
第２抗体として、検出感度及び特異性を高める観点から、ウエスタンブロット法において、陽性コントロールの抗体が検出できるデングウイルスＮＳ１の抗原濃度と同じ濃度のデングウイルスＮＳ１と抗原抗体反応しない抗体が好ましく、より好ましくは２倍の抗原濃度で反応しない抗体、さらに好ましくは５倍又は１０倍の濃度のデングウイルスＮＳ１と抗原抗体反応しない抗体である。
【００４４】
第２抗体は、配列番号１で示されるデングウイルスＮＳ１の全アミノ酸配列を含むポリペプチドを認識し、且つデングウイルスＮＳ１の全アミノ酸配列中に存在する配列番号２〜８でそれぞれ示されるアミノ酸配列を実質的に認識しないことが好ましい。このことにより、デングウイルスに対する検出感度をより向上できる。
【００４５】
標識物質保持部及び検出部が前記抗体をそれぞれ含有することにより、本発明の免疫クロマト分析装置は、例えば、デングウイルスと同じフラビウイルス科に属する、ジカウイルス、日本脳炎ウイルス等に対する交叉反応を軽減できる。
【００４６】
本発明の免疫クロマト分析装置は、検出部が、第２抗体に加えて、さらにＮＳ１の全アミノ酸配列中に存在する配列番号２で示されるアミノ酸配列を認識する抗体（第１抗体）を含有することが好ましい。このことにより、デングウイルス以外の他の抗原との交叉反応をより低減しつつ、デングウイルスに対する感度を向上できる。検出部において第２抗体に加えて第１抗体を含有する場合、検出感度を高める観点から、第１抗体と第２抗体との比率（質量比）は、通常１：９〜９：１とすることが好ましい。
【００４７】
第１抗体及び第２抗体としては、例えば、ポリクローナル抗体やモノクローナル抗体等の天然型抗体、遺伝子組換技術を用いて製造され得るキメラ抗体、ヒト化抗体や一本鎖抗体、ヒト抗体産生トランスジェニック動物等を用いて製造され得るヒト抗体、ファージディスプレイによって作製された抗体およびこれらの結合性断片が含まれる。感度を向上する観点から、モノクローナル抗体であることが好ましい。
【００４８】
本発明で用いられる第１抗体及び第２抗体は、デングウイルスＮＳ１ペプチドを免疫原として用い、前記抗体産生動物種に投与することで作製できる。デングウイルスＮＳ１を認識する抗体の作製方法について、以下例示的に説明をする。
【００４９】
抗体産生動物種としては、例えばヒト、マウス、ラット、ウサギ、ヤギ、ウマ等を使用できる。免疫グロブリンとしては、ＩｇＧ、ＩｇＭ、ＩｇＡ、ＩｇＥ、ＩｇＤのいずれでもよい。
【００５０】
第１抗体の作製方法の一実施態様において、免疫原としてのデングウイルスＮＳ１ペプチドは、既知の一般的な製造方法によって製造することができる。すなわち、デングウイルスから抽出精製したデングウイルスＮＳ１ペプチド、またはクローニングされたデングウイルスＮＳ１の遺伝子を大腸菌などの宿主で遺伝子工学的に発現させて抽出精製したデングウイルスＮＳ１ペプチド、さらにはデングウイルスＮＳ１ペプチドの一部を構成するポリペプチドを免疫原として用いることができる。
【００５１】
第２抗体の作製方法の一実施態様において、免疫原としては、還元剤を含むＳＤＳ−ＰＡＧＥ用のサンプルバッファーで処理されていないデングウイルスＮＳ１が好ましく、より好ましくは陰イオン性界面活性剤であるＳＤＳで処理されていないデングウイルスＮＳ１である。第２抗体の免疫原として好ましいものとしては、例えば、陰イオン性界面活性剤を含まないバッファーにデングウイルスを懸濁したもの、又は全長のデングウイルスＮＳ１などである。
【００５２】
モノクローナル抗体は、常法に従って、上記免疫原で免疫したマウスの脾臓細胞と骨髄腫細胞をハイブリッドさせ、目的とする抗体を産生するハイブリドーマを選択し、このハイブリドーマから産生されてくるモノクローナル抗体を収得する［例えば、ケーラーとミルスタインの技法（Ｎａｔｕｒｅ  ２５６（１９７５）４９５−４９７）を参照］。ポリクローナル抗体は、常法により、上記免疫原を産生動物（例えば、ヒト、マウス、ラット、ウサギ、ヤギ、ウマ等）に免疫して得た抗血清中から目的とする抗体を分離することにより得られる。
【００５３】
モノクローナル抗体を産生するハイブリドーマクローンのスクリーニングは、ハイブリドーマを、例えばマイクロタイタープレート中で培養し、増殖の見られたウェルの培養上清の上記免疫原に対する反応性を、例えばＥＬＩＳＡ法等の酵素免疫測定法によって測定することにより行うことができる。
【００５４】
このハイブリドーマは、培地（例えば、１０％牛胎児血清を含むＤＭＥＭ）を用いて培養し、その培養液の遠心上清をモノクローナル抗体溶液とすることができる。また、本ハイブリドーマを由来する動物の腹腔に注入することにより、腹水を生成させ、得られた腹水をモノクローナル抗体溶液とすることができる。モノクローナル抗体は、単離および／または精製されることが好ましい。このようにして、デングウイルスＮＳ１を認識する抗体を作製することができる。
【００５５】
デングウイルスＮＳ１を認識する抗体のうち、配列番号２で示されるアミノ酸配列を認識する抗体である第１抗体は、例えば、配列番号２で示されるアミノ酸配列に相当するペプチド断片を用いたＥＬＩＳＡ試験やウエスタンブロッティング等に供することにより、上記デングウイルスＮＳ１を認識する抗体を産生するハイブリドーマの中から、配列番号２で示されるアミノ酸配列に対してより強い反応性を示す抗体を産生するハイブリドーマを選択することにより、入手し、使用できる。
【００５６】
デングウイルスＮＳ１を認識する抗体のうち、デングウイルスＮＳ１の立体構造を認識する抗体である第２抗体は、例えば、上記デングウイルスＮＳ１を認識する抗体を産生するハイブリドーマの中から、ＳＤＳ−ＰＡＧＥによって分離された全長のデングウイルスＮＳ１とはウエスタンブロット法で抗原抗体反応しない抗体を産生するハイブリドーマを選択することにより、入手し、使用できる。
【００５７】
第１抗体及び第２抗体は、上記の各ハイブリドーマを、通常、細胞培養に用いられる培地において培養し、培養上清から回収することによって調製できる。また、ハイブリドーマが由来する動物の腹腔内に投与することによって、腹水を貯留させ、該腹水から回収することによって調製できる。
【００５８】
次に、図面を参照しながら本発明の免疫クロマト分析装置の一実施形態について説明する。
【００５９】
本発明の免疫クロマト分析装置の一実施形態としては、図１に示すように、試料添加部（１）、標識物質保持部（２）、クロマトグラフ媒体部（３）、検出部（４）、吸収部（５）、バッキングシート（６）から構成されている。
【００６０】
試料添加部（１）は、免疫クロマト分析装置において、検体を含有する試料を添加する部位である。試料添加部（１）では試料が迅速に吸収されるが、速やかに試料が移動していくような性質の多孔質シートで構成することができる。多孔質シートとしては、例えば、セルロース濾紙、グラスファイバー、ポリウレタン、ポリアセテート、酢酸セルロース、ナイロン、綿布等が挙げられる。
【００６１】
標識物質保持部（２）には、後述する標識物質で標識化された標識抗体（以下、単に、標識抗体ともいう）が保持されており、上記標識抗体が検体中の被検出物質と結合する部位である。この標識抗体はデングウイルスＮＳ１の全アミノ酸配列中に存在する配列番号２で示されるアミノ酸配列を認識する第１抗体であり、標識物質保持部（２）内を試料が移動する際に、第１抗体と検体中の上記デングウイルスＮＳ１とが結合する。
【００６２】
標識物質保持部（２）には、グラスファイバー、セルロース等の膜が通常使用される。
【００６３】
標識物質保持部（２）の標識抗体の含有量は、通常０．０５μｇ／装置〜０．５μｇ／装置であり、好ましくは０．０５μｇ／装置〜０．２５μｇ／装置であり、より好ましくは０．０７μｇ／装置〜０．１μｇ／装置である。標識物質保持部（２）の標識抗体の含有量を前記範囲内とすることにより、優れた検出感度を達成できる。
【００６４】
また、標識物質保持部（２）の単位面積当たりの標識抗体の含有量は、通常０．０５μｇ／ｃｍ２〜１．０μｇ／ｃｍ２であり、好ましくは０．１μｇ／ｃｍ２〜０．８μｇ／ｃｍ２であり、より好ましくは０．１７μｇ／ｃｍ２〜０．６μｇ／ｃｍ２である。標識物質保持部（２）の単位面積当たりの標識抗体の含有量を前記範囲内とすることにより、優れた検出感度を達成できる。
【００６５】
免疫クロマト分析において抗体を標識する標識物質としては、一般的に酵素等も使用されるが、被検出物質の存在を目視で判定するのに適していることから、標識物質としては、不溶性担体を用いることが好ましい。すなわち本発明において、標識物質保持部（２）が含有する抗体としては、第１抗体を不溶性担体に感作することにより標識化した標識抗体を使用することが好ましい。なお、第１抗体を不溶性担体に感作する手段は、公知の方法に従えばよい。
【００６６】
標識物質としての不溶性担体には、金、銀もしくは白金等の金属粒子、酸化鉄等の金属酸化物粒子、硫黄等の非金属粒子及び合成高分子よりなるラテックス粒子、またはその他の不溶性担体を用いることができる。上述のように不溶性担体は、被検出物質の存在を視覚的に判定するのに適した標識物質であり、目視による判定を容易にするためには有色であることが好ましい。金属粒子及び金属酸化物粒子は、それ自体が粒径に応じた特定の自然色を呈するものであり、その色彩を標識として利用することができる。
【００６７】
標識物質としての不溶性担体は、特に金粒子が、検出が簡便であり、かつ凝集しづらく非特異的な発色が起こりにくい点で好ましい。検出感度を高める観点から、金粒子の平均粒径は、例えば１０ｎｍ〜２５０ｎｍ、好ましくは３５ｎｍ〜１２０ｎｍである。平均粒径は、透過型電子顕微鏡（ＴＥＭ：日本電子（株）製、ＪＥＭ−２０１０）により、撮影した投影写真を用いて無作為に１００個の粒子の投影面積円相当径を計測し、その平均値から算出することができる。
【００６８】
標識物質保持部における金粒子の含有量は、標識物質保持部の単位面積あたり、通常０．００６μｇ／ｃｍ２〜０．４２μｇ／ｃｍ２であり、好ましくは０．０１μｇ／ｃｍ２〜０．３μｇ／ｃｍ２であり、より好ましくは０．０１μｇ／ｃｍ２〜０．２μｇ／ｃｍ２である。上記範囲に設定することによって、標識された粒子が分散したまま展開し、抗体の認識部位が阻害されず高感度化できるからである。
【００６９】
クロマトグラフ媒体部（３）は、クロマトグラフの展開部位である。クロマトグラフ媒体部（３）は、毛管現象を示す微細多孔性物質からなる不活性の膜である。クロマトグラフで使用される検出試薬、固定化試薬または被検出物質などと反応性を有しないという観点から、また、本発明の効果が向上するという観点から、例えば、ニトロセルロース製のメンブレン（以下、ニトロセルロースメンブレンともいう）や、酢酸セルロース製のメンブレン（以下、酢酸セルロースメンブレンともいう）が好ましく、ニトロセルロースメンブレンがさらに好ましい。なお、セルロース類メンブレン、ナイロンメンブレン及び多孔質プラスチック布類（例えばポリエチレン、ポリプロピレン等）も使用可能である。
【００７０】
ニトロセルロースメンブレンとしては、ニトロセルロースが主体で含まれていればよく、純品またはニトロセルロース混合品などニトロセルロースを主材とするメンブレンを使用することができる。
【００７１】
ニトロセルロースメンブレンは、さらに、毛細管現象を促進させる物質を含有させることもできる。当該物質としては、膜面の表面張力を低下させ、親水性をもたらす物質が好ましい。例えば、糖類、アミノ酸の誘導体、脂肪酸エステル、各種合成界面活性剤またはアルコール等の両親媒性の作用を有する物質であって、被検出物質の移動に影響がなく、標識物質の発色に影響を及ぼさない物質が好ましい。
【００７２】
ニトロセルロースメンブレンは、多孔性であって、毛細管現象を示す。この毛細管現象の指標は、吸水速度（吸水時間：ｃａｐｉｌｌａｒｙ  ｆｌｏｗ  ｔｉｍｅ）を測ることで確認できる。吸水速度は、検出感度と検査時間に影響する。
【００７３】
上記のようなニトロセルロースメンブレンや酢酸セルロースメンブレンに代表されるクロマトグラフ媒体部（３）の形態及び大きさは特に制限されるものではなく、実際の操作の点及び反応結果の観察の点において適切であればよい。
【００７４】
さらに操作をより簡便にするためには、クロマトグラフ媒体部（３）の裏面に、プラスチックなどよりなる支持体を設けることが好ましい。この支持体の性状は特に制限されるものではないが、目視判定によって測定結果の観察を行う場合には、支持体は、標識物質によりもたらされる色彩と類似しない色彩を有するものであることが好ましく、通常、無色又は白色であることが好ましい。
【００７５】
また、クロマトグラフ媒体部（３）上には、非特異的な吸着により分析の精度が低下することを防止するため、必要に応じて、クロマトグラフ媒体部（３）に、公知の方法でブロッキング処理を行うことができる。一般にブロッキング処理は、ウシ血清アルブミン、スキムミルク、カゼインまたはゼラチン等のタンパク質が好適に用いられる。かかるブロッキング処理後に、必要に応じて、例えば、Ｔｗｅｅｎ２０、ＴｒｉｔｏｎＸ−１００またはＳＤＳ等の界面活性剤を１つ又は２つ以上組み合わせて洗浄してもよい。
【００７６】
検出部（４）は、上記クロマトグラフ媒体部（３）上の任意の位置に形成されており、デングウイルスＮＳ１の立体構造を認識する第２抗体を含有する。検出部（４）への第２抗体の固定化は、常法に従って行うことができる。
【００７７】
検出部（４）では、クロマトグラフ媒体部上を移動相として通過した検体中のデングウイルスが、検出部（４）に固定されている第２抗体と、標識物質が結合した第１抗体とによってサンドイッチ状に挟まれるように特異的に反応結合する。
【００７８】
検出部（４）に含有される第２抗体の含有量は、通常０．１μｇ〜３．０μｇであり、好ましくは０．３μｇ〜２．０μｇであり、より好ましくは０．３μｇ〜１．０μｇである。検出部（４）に含有される第２抗体の含有量を前記範囲とすることにより、優れた検出感度を達成できる。
【００７９】
また、検出部（４）の単位面積当たりの第２抗体の含有量は、通常０．０４μｇ／ｃｍ２〜１．０μｇ／ｃｍ２であり、好ましくは０．１２５μｇ／ｃｍ２〜０．８μｇ／ｃｍ２であり、より好ましくは０．１２５μｇ／ｃｍ２〜０．４２μｇ／ｃｍ２である。検出部（４）の単位面積当たりの第２抗体の含有量を前記範囲とすることにより、優れた検出感度を達成できる。
【００８０】
吸収部（５）は、クロマトグラフ媒体部（３）の末端に、検出部（４）を通過した検体や展開液等の液体を吸収させるために設置される。本発明において、吸収部（５）は、例えばグラスファイバー、パルプ、セルロースファイバー等、またはそれら不織布にアクリル酸重合体等の高分子、エチレンオキサイド基等を持つ親水性薬剤を含有させたものが用いられ、特に好ましくはグラスファイバーである。
【００８１】
バッキングシート（６）は、基材である。片面に粘着剤を塗布したり、粘着テープを貼り付けたりすることにより、片面が粘着性を有し、該粘着面上に試料添加部（１）、標識物質保持部（２）、クロマトグラフ媒体部（３）、検出部（４）、および吸収部（５）の一部または全部が密着して設けられている。バッキングシート（６）は、粘着剤によって試料液に対して不透過性、非透湿性となるようなものであれば、基材としては、特に限定されない。
【００８２】
本発明の免疫クロマト分析装置は、製品化する前に、通常乾燥処理に施される。乾燥温度は例えば２０℃〜５０℃、乾燥時間は０．５時間〜１時間である。
【００８３】
本発明の免疫クロマト分析装置は、標識物質保持部は、デングウイルスＮＳ１の全アミノ酸配列中に存在する配列番号２で示されるアミノ酸配列を認識する第１抗体を含有し、且つ検出部にデングウイルスＮＳ１の立体構造を認識する第２抗体を含有する。このことにより、他の抗原との交叉反応をより低減でき、デングウイルスをより特異的に検出することができる。
【００８４】
＜免疫クロマト分析キット＞
本発明の免疫クロマト分析キットは、上記の免疫クロマト分析装置と、検体を希釈して展開するための検体希釈液とを含む。
【００８５】
本発明の免疫クロマト分析キットにおいて、検体希釈液は、展開液としても使用することができるものである。検体希釈液は通常溶媒として水を用い、これに緩衝液、塩、および非イオン性界面活性剤を含有する。さらに、例えば抗原抗体反応の促進または非特異的反応を抑制するためのタンパク質、高分子化合物（ＰＶＰ等）、イオン性界面活性剤もしくはポリアニオン、または、抗菌剤、キレート剤等の１種もしくは２種以上を加えてもよい。
【００８６】
検体希釈液を展開液として用いる場合には、検体と展開液を予め混合したものを試料として、試料添加部に供給・滴下して展開させることもできるし、先に検体を含有する試料を試料添加部に供給・滴下した後、展開液を試料添加部に供給・滴下して展開させてもよい。
【００８７】
＜免疫クロマト分析方法＞
本発明の免疫クロマト分析方法は以下の工程（１）〜（４）を含み、上記の免疫クロマト分析キットを用いて検体に含まれるデングウイルスを検出する。
（１）検体希釈液により検体を希釈した検体含有液を試料として、試料添加部に添加する工程
（２）標識物質保持部に保持されているデングウイルスＮＳ１の全アミノ酸配列中に存在する配列番号２で示されるアミノ酸配列を認識する第１抗体により、検体中のデングウイルスを認識させる工程
（３）前記検体及び前記抗体を移動相としてクロマトグラフ媒体部に展開させる工程
（４）展開された前記移動相中のデングウイルスを、検出部に含まれるデングウイルスＮＳ１の立体構造を認識する第２抗体により検出する工程
各工程について以下に説明する。
【００８８】
（１）検体希釈液により検体を希釈した検体含有液を試料として、試料添加部に添加する工程
工程（１）では、第１に、検体を、測定精度を低下させることなく、免疫クロマトグラフ媒体中をスムーズに移動する程度の濃度に、検体希釈液で調整または希釈して検体含有液とするのが好ましい。検体希釈液は上述したものを使用できる。第２に、検体含有液を試料として、試料添加部（１）上に、所定量（通常、０．１ｍｌ〜２ｍｌ）滴下する。試料が試料添加部（１）に滴下されると、試料添加部（１）中で移動を開始する。
【００８９】
本発明において使用する検体は、上述したように、被検出物質であるデングウイルスを含む可能性のあるものであり、具体的には、デングウイルスに感染した患者の、血清、血漿、全血、精液、髄液等が挙げられるが、これらに限定されない。
【００９０】
（２）標識物質保持部に保持されているデングウイルスＮＳ１の全アミノ酸配列中に存在する配列番号２で示されるアミノ酸配列を認識する第１抗体により、検体中のデングウイルスを認識させる工程
工程（２）は、工程（１）において試料添加部に添加された試料を、標識物質保持部（２）へと移動させ、標識物質保持部に保持されている、標識物質が結合した第１抗体により、検体中の被検出物質であるデングウイルスを認識させる工程である。標識物質は上述したものを使用できる。
【００９１】
（３）前記検体及び前記抗体を移動相としてクロマトグラフ媒体部に展開させる工程
工程（３）は、工程（２）において被検出物質であるデングウイルスが標識物質保持部において標識物質が結合した第１抗体に認識された後、検体および前記抗体を、クロマトグラフ媒体部上を移動相として通過させる工程である。
【００９２】
（４）展開された前記移動相中のデングウイルスを、検出部に含まれるデングウイルスＮＳ１の立体構造を認識する第２抗体により検出する工程
工程（４）は、クロマトグラフ媒体部上を移動相として通過した検体中のデングウイルスが、抗原・抗体の特異的結合反応により、検出部に固定されている第２抗体と、前記工程（２）において標識物質が結合した第２抗体とによってサンドイッチ状に挟まれるように特異的に反応結合して、検出部が着色する工程である。
【００９３】
被検出物質であるデングウイルスが存在しない場合には、試料の水分に溶解した標識試薬は、クロマトグラフ媒体部上の検出部を通過しても特異的結合反応が起こらないので、検出部が着色しない。
【００９４】
最後に、検体含有液の水分は、吸収部（５）へと移動する。
【実施例】
【００９５】
以下、本発明を実施例によりさらに説明するが、本発明は下記例に制限されるものではない。
【００９６】
製造例１
（抗体の作製）
デングウイルスＮＳ１を認識する抗体を以下のように作製した。まず、配列番号１で示されるデングウイルスＮＳ１のアミノ酸配列からなるペプチドを合成した。Ｈｉｓ−ｔａｇ発現用ベクターであるｐＥＴ３０２／ＮＴ−Ｈｉｓを制限酵素ＥｃｏＲＩで切断した後、脱リン酸化処理としてアルカリフォスファターゼにより処理し、前記ペプチドと混合し、ＤＮＡ  Ｌｉｇａｔｉｏｎ  Ｋｉｔ  Ｖｅｒ．２（タカラバイオ）を用いてライゲーション反応をおこなった。
【００９７】
目的遺伝子を組み込んだ組換えＮＳ１プラスミドを組換え蛋白発現用宿主Ｅ．ｃｏｌｉ  ＢＬ（ＤＥ３）ｐＬｙｓＳ（Ｎｏｖａｇｅｎ）に導入した。導入菌をＬＢ寒天平板培地で培養し、得られたコロニーをＬＢ液体培地で培養した。さらに１ｍＭ  ＩＰＴＧ（タカラバイオ）を添加して組換えＮＳ１の発現を誘導した後、Ｅ．ｃｏｌｉを回収した。回収した菌を可溶化バッファー［０．５％Ｔｒｉｒｏｎ  Ｘ−１００（ｓｉｇｍａ）、１０ｍＭ  Ｉｍｉｄａｚｏｌｅ、２０ｍＭ  Ｐｈｏｓｐｈａｔｅおよび０．５Ｍ  ＮａＣｌ（ｐＨ７．４）（Ａｍｅｒｓｈａｍ）］に再浮遊し、超音波処理により可溶化した後、組換えＮＳ１をＨｉｓ  ｔｒａｐ  Ｋｉｔ（Ａｍｅｒｓｈａｍ）を用いて精製した。この精製タンパク質をリン酸緩衝生理食塩水（以下、ＰＢＳと称する）に対して透析し、目的の組換えＮＳ１とした。
【００９８】
得られた組換えＮＳ１を免疫用抗原として、組換えＮＳ１に対するモノクローナル抗体を作製した。モノクローナル抗体の作製は次のように、常法に従っておこなった。１００μｇの組換えＮＳ１と等量のＡｄｕｖａｎｔ  Ｃｏｍｐｌｅｔｅ  Ｆｒｅｕｎｄ（Ｄｉｆｃｏ）を混合して、マウス（ＢＡＬＢ／ｃ、５週齢、日本ＳＬＣ）に３回免疫し、その脾臓細胞を細胞融合に用いた。細胞融合には、マウスの骨髄腫細胞であるＳｐ２／０−Ａｇ１４細胞（Ｓｈｕｌｍａｎら、１９７８）を用いた。細胞の培養には、Ｄｕｌｂｅｃｃｏ’ｓ  Ｍｏｄｉｆｉｅｄ  Ｅａｇｌｅ  Ｍｅｄｉｕｍ（Ｇｉｂｃｏ）にＬ−グルタミン  ０．３ｍｇ／ｍｌ、ペニシリンＧカリウム  １００単位／ｍｌ、硫酸ストレプトマイシン  １００μｇ／ｍｌ、Ｇｅｎｔａｃｉｎ  ４０μｇ／ｍｌを添加し（ＤＭＥＭ）、これに牛胎児血清（ＪＲＨ）を１０％となるように加えた培養液を用いた。細胞融合は、免疫マウスの脾臓細胞とＳｐ２／０−Ａｇ１４細胞を混合し、そこにＰｏｌｙｅｔｈｙｌｅｎｅ  ｇｌｙｃｏｌ  ｓｏｌｕｔｉｏｎ（Ｓｉｇｍａ）を添加することにより行った。融合細胞はＨＡＴ−ＤＭＥＭ［０．１ｍＭ  Ｓｏｄｉｕｍ  Ｈｙｐｏｘａｎｔｉｎｅ、０．４μＭ  Ａｍｉｎｏｐｔｅｒｉｎおよび０．０１６ｍＭ  Ｔｈｙｍｉｄｉｎｅ（Ｇｉｂｃｏ）を含む血清加ＤＭＥＭ］で培養し、酵素結合抗体法（ＥＬＩＳＡ法）により培養上清中の抗体産生を確認した。抗体産生陽性の細胞をＨＴ−ＤＭＥＭ［０．１ｍＭ  Ｓｏｄｉｕｍ  Ｈｙｐｏｘａｎｔｉｎｅおよび０．１６ｍＭ  Ｔｈｙｍｉｄｉｎｅを含む血清加ＤＭＥＭ］で培養し、さらに血清加ＤＭＥＭで培養を続けた。
【００９９】
クローニングした細胞は、２，６，１０，１４−Ｔｅｔｒａｍｅｔｈｙｌｐｅｎｔａｄｅｃａｎｅ（Ｓｉｇｍａ）を接種しておいたマウス（ＢＡＬＢ／ｃ、リタイア、日本ＳＬＣ）に腹腔内接種し、腹水を採取した。この腹水をプロテインＧカラムに供し、モノクローナル抗体を精製した。
【０１００】
このようにして得られたモノクローナル抗体に対して、組換えＮＳ１を９６穴プレートに固定化した直接ＥＬＩＳＡ法にて抗体をスクリーニングした。その結果、デングウイルスＮＳ１を認識する４種類の抗体が得られた。以下この４種類の抗体を、Ｎｏ．１〜Ｎｏ．４の抗体として説明する。
【０１０１】
参考例１（競合阻害ＥＬＩＳＡ試験）
ＤＥＮＶ−１〜ＤＥＮＶ−４のＮＳ１について、親水性プロット及びアライメントを行い、親水度及び相同性の高い、配列番号２〜８で示されるアミノ酸配列を特定した。親水性プロットについては、デングウイルスのＮＳ１をＨｏｐｐ＆Ｗｏｏｄｓの規則に従い、ＥｘＰＡＳｙを用いて計算することにより作成した。親水性プロット の結果を図２示す。
【０１０２】
配列番号２〜８で示されるアミノ酸配列については、米国国立生物工学情報センター（ＮＣＢＩ）に登録されている配列情報［ＤＥＮＶ−１  ＮＣＢＩ  Ａｃｃｅｓｓｉｏｎ  Ｎｏ．ＡＡＡ４２９４０（７７７．．１１３０）、ＤＥＮＶ−２  ＮＣＢＩ  Ａｃｃｅｓｓｉｏｎ  Ｎｏ．ＡＣＷ８２８８１（７７７．．１１３０）、ＤＥＮＶ−３  ＮＣＢＩ  Ａｃｃｅｓｓｉｏｎ  Ｎｏ．ＹＰ＿００１６２１８４３（７７４．．１１２５）、ＤＥＮＶ−４  ＮＣＢＩ  Ａｃｃｅｓｓｉｏｎ  Ｎｏ．ＮＰ＿０７３２８６〈７７５．．１１２６〉］等から得られたＮＳ１領域のアミノ酸配列情報に基づき上記のようにして得た。相同性の解析にはＭｏｌｅｃｕｌａｒ  ｅｖｏｌｕｔｉｏｎａｒｙ  ｇｅｎｅｔｉｃｓ  ａｎａｌｙｓｉｓ  を用いた。
【０１０３】
製造例１で作製したデングウイルスＮＳ１を認識する各抗体（Ｎｏ．１〜Ｎｏ．４の抗体）が、配列番号２〜８で示されるアミノ酸配列を認識するか否かについて、競合阻害ＥＬＩＳＡ試験を行うことで調べた。競合阻害ＥＬＩＳＡ試験で使用したペプチドは、配列番号２〜８ で示されるアミノ酸配列それぞれからなるペプチド７種類（下記に示すペプチド１〜７）であり、ペプチドの化学合成法の常法であるペプチド固相合成法により作製した。
【０１０４】
ペプチド１：ELKCGSGIFVTNEVHTWTEQYKFQ（配列番号３）
ペプチド２：GKKMIRPQPMEHKYSWKSWGKA（配列番号２）
ペプチド３：IDGPNTPECPDNQRAWN（配列番号４）
ペプチド４：AVHADMGYWIESEKNETWKLARASFIEVKT（配列番号５）
ペプチド５：GGPISQHNYRPGYFTQTAGPWHLG（配列番号６）
ペプチド６：GTTVVVDEHCGNRGPSLRTTTVTGK（配列番号７）
ペプチド７：GEDGCWYGMEIRPVKEKEENLVKSMVSA（配列番号８）
【０１０５】
製造例１で作製した組換えＮＳ１をＰＢＳで５μｇ／ｍＬの濃度に希釈した後、ＥＬＩＳＡ用９６穴プレート（Ｎｕｎｃ  Ｉｍｍｕｎｏ  ｍｏｄｕｌｅｓ、Ｔｈｅｒｍｏ  Ｆｉｓｈｅｒ  Ｓｃｉｅｎｔｉｆｉｃ社製、コード４６９９４９）に１００μＬ／ｗｅｌｌずつ分注し、４℃で一夜静置した。各ウェルを０．０５％Ｔｗｅｅｎ２０含有ＰＢＳ（以下、「ＰＢＳＴ」という）で３回洗浄後（４００μＬ／ウェル）、１％ＢＳＡ含有ＰＢＳＴ（以下、「ＢＳＡ−ＰＢＳＴ」という）を１００μＬ／ウェルずつ分注し、室温で１時間静置してブロッキングを行った。
【０１０６】
ＰＢＳＴで３回洗浄後、各ウェルＮｏ．１〜Ｎｏ．４の各一次抗体溶液２０μｇ／ｍＬと各ペプチド（ペプチド１〜７）５ｍｇ／ｍＬとを含む５０％ブロッキング溶液１００μＬをウェルに加え、３７℃にて１時間インキュベートした。
【０１０７】
一次抗体溶液を取り除き、ウェルを３００μＬ  ＰＢＳＴ（０．０５％  Ｔｗｅｅｎ２０  ｉｎ  ＰＢＳ）にて３回ウォッシュした。ウェルに残った液は、ペーパータオルに叩き付けて取り除いた。
【０１０８】
二次抗体として、Ａｎｔｉ  Ｍｏｕｓｅ  ＩｇＧ（Ｈ＋Ｌ），Ｒａｂｂｉｔ，ＩｇＧ  Ｗｈｏｌｅ，Ｐｅｒｏｘｉｄａｓｅ  Ｃｏｊｕｇａｔｅｄ（和光純薬社製、コード０１４−１７６１１）１μｇ／ｍＬを１００μＬ、ウェルに加え、３７℃で１．５時間インキュベートした。その後二次抗体溶液を取り除き、ウェルを３００μＬ  ＰＢＳＴ（０．０５％  Ｔｗｅｅｎ２０  ｉｎ  ＰＢＳ）にて３回ウォッシュし、ウェルに残った液は、ペーパータオルに叩き付けて取り除いた。
【０１０９】
ウェルに発色基質としてＳｕｒｅ  Ｂｌｕｅ  Ｒｅｓｅｒｖｅ  ＴＭＢ  Ｍｉｃｒｏｗｅｌｌ  Ｐｅｒｏｘｉｄａｓｅ  Ｓｕｂｓｔｒａｔｅ（１−Ｃｏｍｐｏｎｅｎｔ）（ＫＰＬ社製、コード５３−００−０１）を１００μＬ加え、１５分反応させ、２Ｎ硫酸を１００μＬ加えて反応を停止させた後、マイクロプレートリーダー（ＢＩＯＲＡＤ社製）で４５０ｎｍの吸光度を測定した。結果を表１及び図３に示す。
【０１１０】
【表１】
2020122773.tif 000003
【０１１１】
表１及び図３に示すように、Ｎｏ．１の抗体は、配列番号２〜８で示されるアミノ酸配列をいずれも認識しないことがわかった。また、Ｎｏ．２〜Ｎｏ．４の抗体は、配列番号２で示されるアミノ酸配列を認識することがわかった。
【０１１２】
参考例２（ドットブロット法）
０ｎｇ／ウェル、１５０ｎｇ／ウェル、３００ｎｇ／ウェル又は６００ｎｇ／ウェルの組換えＮＳ１（ＤＥＮＶ−４）をニトロセルロース膜にブロットし、その後１％ＢＳＡ含有ＰＢＳを３０μL／ウェルで室温にて２０分ブロッキング反応を行った。
【０１１３】
それぞれ２０μｇ／ｍｌに調製したＮｏ．１〜Ｎｏ．４の抗体と室温にて１時間反応させ、メンブレンをシャーレに移動後３ｍＬのＰＢＳ−Ｔで３回洗浄した。洗浄液を完全に抜き取り、二次抗体として、Ａｎｔｉ  Ｍｏｕｓｅ  ＩｇＧ（Ｈ＋Ｌ），Ｒａｂｂｉｔ，ＩｇＧ  Ｗｈｏｌｅ，Ｐｅｒｏｘｉｄａｓｅ  Ｃｏｊｕｇａｔｅｄ（和光純薬社製、コード０１４−１７６１１）１μｇ／ｍＬを２ｍＬ、シャーレに加え、室温で１．５時間インキュベートした。
【０１１４】
その後、基質としてＴＭＢ  Ｓｏｌｕｔｉｏｎ  ｆｏｒ  Ｗｅｓｔｅｒｎ  Ｂｌｏｔｔｉｎｇ（ナカライテスク社）を１ｍＬ加え、緩やかに２分間湿潤し発色させた。結果を図４に示す。
【０１１５】
図４に示すようにＮｏ．１〜Ｎｏ．４の抗体はいずれも組換えＮＳ１と抗原抗体反応を示すことがわかった。
【０１１６】
参考例３（ウエスタンブロット法）
ゲル板に１０％濃度のポリアクリルアミドからなる分離ゲル、その上に３５％ポリアクリルアミドからなる濃縮ゲルを重層し、作製したゲルをスラブ型電気泳動装置に取り付けた。デングウイルスＮＳ１を含有する溶液（１レーン当たり０．２５μｇのＤＥＮＶ１  ＮＳ１又はＤＥＮＶ２  ＮＳ１）に等量の２倍濃縮サンプルバッファー（１２５ｍＭ  Ｔｒｉｓ−ＨＣｌ、２０％  グリセロール、２％  ＳＤＳ、２％  ２−メルカプトエタノール、０．００１％  ブロモフェノールブルー、ｐＨ６．８）を添加し、１００℃で５分間加熱処理し、泳動用試料とした。泳動用試料及び市販の分子量マーカーを濃縮ゲルに作製されたレーンにそれぞれ添加し、泳動用バッファー（１９２ｍＭ  グリシン、０．１％  ＳＤＳ、２４ｍＭ  Ｔｒｉｓ、ｐＨ８．３）を用いて、２０ｍＡの定電流で３０分間泳動を行った。
【０１１７】
ＰＶＤＦ膜を１００％メタノールに１０秒間、さらに転写用電極バッファー（１９２ｍＭ  グリシン、５％  メタノール、２５ｍＭ  Ｔｒｉｓ−ＨＣｌ、ｐＨ８．３）に３０分間浸潤し、転写に用いた。転写装置の組み立ては、陽極電極板上に下から順にろ紙、ＰＶＤＦ膜、ＳＤＳ−ＰＡＧＥが終了したゲル、ろ紙を重層し、その上に陰極電極板を固定することにより行った。
【０１１８】
泳動後のゲルからＰＶＤＦ膜への転写は１．９ｍＡ／ｃｍ２の定電流にて６０分間で行った。転写終了後のＰＶＤＦ膜は、ブロッキング溶液（０．５％  ＢＳＡ、１０ｍＭ  Ｔｒｉｓ−ＨＣｌ、１４０ｍＭ  ＮａＣｌ、０．０１％  Ｔｗｅｅｎ２０、ｐＨ７．５）中、室温で６０分間インキュベートし、ブロッキング操作を行った。ブロッキング終了後、洗浄バッファー（１０ｍＭ  Ｔｒｉｓ−ＨＣｌ、１４０ｍＭ  ＮａＣｌ、０．０１％  Ｔｗｅｅｎ２０、ｐＨ７．５）で５分間、２回インキュベートして洗浄し、一次抗体として抗体濃度をそれぞれ５０μｇ／ｍｌに調製して、室温で９０分間インキュベートして反応させた。
【０１１９】
一次抗体との反応終了後、洗浄バッファーで５分間、２回インキュベートして洗浄し、二次抗体として、酵素で標識された抗マウスＩｇＧを用いて、室温で６０分間インキュベートして反応させた。二次抗体との反応終了後、洗浄バッファーで５分間、２回インキュベートして洗浄した後、発色基質とともに室温にて３０分間インキュベートし、ＰＶＤＦ膜に転写されたデングウイルスＮＳ１に結合した一次抗体を可視化した。
【０１２０】
結果をそれぞれ図５（Ａ）及び（Ｂ）に示す。図５（Ａ）及び（Ｂ）に示すように、Ｎｏ．２〜Ｎｏ．４の抗体により、デングウイルスＮＳ１に相当する約４２ｋＤａのバンドが検出されたが、Ｎｏ．１の抗体を用いるとバンドは検出されなかった。
【０１２１】
〈実施例１〉
検体希釈液、及び、試料添加部（１）と、標識物質保持部（２）と、検出部（４）を有するクロマトグラフ媒体（３）と、吸収部（５）とを含む免疫クロマト分析装置からなる免疫クロマト分析キットを作製した。
なお、標識物質保持部が含有する第１抗体には、上記で作製したＮｏ．４の抗体を使用し、検出部が含有する第２抗体には、上記で作製したＮｏ．１の抗体を使用した。以下詳細に説明する。
【０１２２】
（１）試料添加部の作製
試料添加部としてグラスファイバーからなる不織布（ミリポア社製：３００ｍｍ×３０ｍｍ）を用いた。
【０１２３】
（２）標識物質保持部の作製
金コロイド懸濁液（田中貴金属工業社製：ＬＣ４０ｎｍ）０．５ｍｌに、リン酸緩衝液（ｐＨ７．４）で０．０５ｍｇ／ｍｌの濃度になるように希釈した上記Ｎｏ．４抗体を０．１ｍｌ加え、室温で１０分間静置した。
【０１２４】
次いで、１質量％のＢＳＡを含むリン酸緩衝液（ｐＨ７．４）を０．１ｍｌ加え、更に室温で１０分間静置した。その後、十分撹拌した後、８０００×ｇで１５分間遠心分離を行い、上清を除去した後、１質量％のＢＳＡを含むリン酸緩衝液（ｐＨ７．４）を０．１ｍｌ加えた。以上の手順で標識物質溶液を作製した。
【０１２５】
上記作製した標識物質溶液３００μＬに、３００μＬの１０質量％トレハロース水溶液と１．８ｍＬの蒸留水を加えたものを１２ｍｍ×３００ｍｍのグラスファイバーパッド（ミリポア社製）に均一になるように添加した後、真空乾燥機にて乾燥させ、標識物質保持部を作製した。
【０１２６】
（３）クロマトグラフ媒体部および検出部の作製
メンブレンとしてニトロセルロースからなるシート（ミリポア社製、商品名：ＨＦ１２０、３００ｍｍ×２５ｍｍ）を用いた。次に、５質量％のイソプロピルアルコールを含むリン酸緩衝液（ｐＨ７．４）で１．０ｍｇ／ｍｌの濃度になるように、上記Ｎｏ．１抗体を希釈した溶液１５０μＬを、乾燥されたメンブレン上の検出部に１ｍｍの幅でイムノクロマト用ディスペンサー「ＸＹＺ３０５０」（ＢＩＯＤＯＴ社製）を用いて１μＬ／ｍｍの量（１シートあたり２５μＬ）でライン状に塗布した。
【０１２７】
また、金ナノ粒子標識試薬の展開の有無や展開速度を確認するために検出部位の下流に、金ナノ粒子標識物質と広く親和性を有するヤギ由来抗血清をリン酸緩衝液（ｐＨ７．４）で希釈した液をコントロール部位（コントロールライン）に塗布した。その後、５０℃にて３０分間乾燥させ、室温にて一晩乾燥させ、クロマトグラフ媒体部および検出部を作製した。
【０１２８】
（４）免疫クロマト分析装置の作製
次に、バッキングシートからなる基材に、試料添加部、標識物質保持部、検出部を有するクロマトグラフ媒体部、展開した試料や標識物質を吸収するための吸収部としてグラスファイバー製の不織布を順次貼り合わせた。そして、裁断機で幅が５ｍｍとなるように裁断し、免疫クロマト分析装置とした。なお、標識物質保持部の試料展開方向の長さを１２ｍｍとした。
【０１２９】
（５）検体希釈液の調製
１質量％の非イオン性界面活性剤（ナカライテスク社製ＮＰ−４０と日油社製ノニデットＭＮ−８１１の１：１混合物）を含む５０ｍＭのＨＥＰＥＳ緩衝液（ｐＨ７．５）を調製し、検体を希釈処理するための検体希釈液とした。
【０１３０】
〈実施例２〉
実施例１において、標識物質保持部が含有する第１抗体をＮｏ．３の抗体及びＮｏ．４の抗体とし、検出部が含有する第２抗体をＮｏ．１の抗体及びＮｏ．２の抗体とした点を除いては、実施例１と同様にして、実施例２の免疫クロマト分析キットを作製した。
【０１３１】
〈比較例１〉
実施例１において、標識物質保持部が含有する第１抗体をＮｏ．１の抗体とし、検出部が含有する第２抗体をＮｏ．４の抗体とした点を除いては、実施例１と同様にして、実施例３の免疫クロマト分析キットを作製した。
【０１３２】
表２に実施例１及び２、比較例１の免疫クロマト分析キットに用いた抗体の組み合わせを示す。
【０１３３】
【表２】
2020122773.tif 000004
【０１３４】
試験例１（デングウイルスＮＳ１組換え抗原を用いた測定）
本試験では、上記作製した実施例１及び２の免疫クロマト分析キットを用い、デングウイルスＮＳ１組換え抗原を検体として測定を行った。検体としては、ＤＥＮＶ−１〜ＤＥＮＶ−４（Ｍｅｒｉｄｉａｎ  Ｌｉｆｅｓｃｉｅｎｃｅ社製）を用い、濃度が各々６０ｎｇ／ｍＬとなるように検体希釈液で希釈し、検体含有液を調製した。
【０１３５】
上記調製した各検体含有液９０μＬを免疫クロマト分析装置の試料添加部に滴下し展開させ、検出部における発色強度を測定した。また、比較例２としてＳＤ  ＢＩＯＬＩＮＥ  Ｄｅｎｇｕｅ  ＮＳ１  Ａｇ（Ａｂｂｏｔｔ社製）を用い、同様の試験を行った。結果を図６（Ａ）〜（Ｄ）に示す。
【０１３６】
図６（Ａ）〜（Ｄ）に示すように、標識物質保持部が、配列番号１で示されるデングウイルスＮＳ１の全アミノ酸配列中に存在する配列番号２で示されるアミノ酸配列を認識する第１抗体を含有し、且つ検出部が、デングウイルスＮＳ１の立体構造を認識する第２抗体を含有する実施例１及び２の免疫クロマト分析装置によれば、標識物質保持部がデングウイルスＮＳ１の立体構造を認識する抗体を含有し、且つ検出部が配列番号１で示されるデングウイルスＮＳ１の全アミノ酸配列中に存在する配列番号２で示されるアミノ酸配列を認識する抗体を含有する比較例１と比較して、高い感度で検体中のデングウイルスを検出できることがわかった。また、検出部に、配列番号２で示されるアミノ酸配列を認識する抗体を含有させた実施例２の免疫クロマト分析装置では、デングウイルスに対する感度がより向上することがわかった。
【０１３７】
試験例２（交叉反応性評価）  
本試験では、上記作製した実施例１及び２の免疫クロマト分析キットを用い、組換えジカウイルスＮＳ１（Ｍｅｒｉｄｉａｎ  Ｌｉｆｅ  Ｓｃｉｅｎｃｅ社製、Ｃａｔ＃Ｒ０１６３６）又は組換え日本脳炎ウイルスＮＳ１（Ｆｉｔｚｇｅｒａｌｄ社）を検体として測定を行った。組換えジカウイルスＮＳ１の濃度が２ｍｇ／ｍＬ、組換え日本脳炎ウイルスＮＳ１の濃度が２ｍｇ／ｍＬとなるように検体希釈液で希釈し、各検体含有液を調製した。調製した各検体含有液を試料として、試験例１と同様に測定を行った。また、比較例２としてＳＤ  ＢＩＯＬＩＮＥ  Ｄｅｎｇｕｅ  ＮＳ１  Ａｇ（Ａｂｂｏｔｔ社製）、比較例３としてＰａｎｂｉｏ（登録商標）  Ｄｅｎｇｕｅ  ｅａｒｌｙ  ｒａｐｉｄ（Ａｂｂｏｔｔ社製）を用い、同様の試験を行った。結果を図７に示す。
【０１３８】
図７に示すように、本発明の免疫クロマト分析キットは、デングウイルスと相同性の高いジカウイルス及び日本脳炎ウイルスに対して交叉反応を起こさず、デングウイルスを特異的に検出できることが分かった。
【０１３９】
試験例３（ハーフストリップ法）
抗体結合金コロイドをＰａｄ化せずに液体のままニトロセルロース膜に展開させるハーフストリップ法により、表３に示す抗体を用いて、次に示す手順で実施例３及び比較例４のテストストリップを作製し、Ｓ／Ｎ比を求めた。
【０１４０】
表３に示す抗体を実施例１と同様の方法にて、金コロイド標識抗体及び抗体固定メンブレンを作製した。抗体固定メンブレンをバッキングシートに貼り付け、貼り付けた抗体固定メンブレンの上部にセルロースファイバー製吸収パッドを貼り付けた後に裁断し、３層構造のハーフストリップを作製した。
【０１４１】
【表３】
2020122773.tif 000005
【０１４２】
組換えＮＳ１を陽性検体、ＰＢＳを陰性検体として、各試料４０μＬを９６ウェルプレートまたはエッペンチューブなどに加えた後、金コロイド標識抗体を３μＬ加える。検体と金コロイド標識抗体の混合液に上記ハーフストリップを挿入し１５分後にイムノクロマトリーダー（浜松ホトニクス社製）を用いて判定部位の発色強度を数値化した。陰性検体及び陽性検体の発色値よりＳ／Ｎ比を求めた結果を図８に示す。
【０１４３】
図８に示すように、標識物質保持部にＮｏ．４の抗体（配列番号１で示されるデングウイルスＮＳ１の全アミノ酸配列中に存在する配列番号２で示されるアミノ酸配列を認識する抗体）を使用し、且つ検出部にＮｏ．１の抗体（デングウイルスＮＳ１の立体構造を認識する抗体）を使用した実施例３は、標識物質保持部にＮｏ．１の抗体使用し、且つ検出部にＮｏ．４の抗体を使用した比較例４と比較して、顕著に高い感度を示した。
【０１４４】
参考例１〜３及び試験例３の結果から、Ｎｏ．１の抗体は、デングウイルスＮＳ１の立体構造を認識していると考えられる。また、標識物質保持部に配列番号１で示されるデングウイルスＮＳ１の全アミノ酸配列中に存在する配列番号２で示されるアミノ酸配列を認識する第１抗体を含有させ、且つ検出部に第２抗体を含有させることにより、該配列番号２で示されるアミノ酸配列を認識して該第１抗体が抗原抗体反応したＮＳ１の立体構造を第２抗体が認識して抗原抗体反応すると考えられる。第１抗体が先にデングウイルスＮＳ１に結合することにより、第２抗体が認識する部位の立体構造が展開中においても保持され、第２抗体が抗原に結合しやすい状態を維持することにより、顕著に高い感度を示すことが可能となると考えられる。
【０１４５】
また、以上の結果より、標識物質保持部が、配列番号１で示されるデングウイルスＮＳ１の全アミノ酸配列中に存在する配列番号２で示されるアミノ酸配列を認識する第１抗体を含有し、且つ検出部が、デングウイルスＮＳ１の立体構造を認識する第２抗体を含有する本発明の免疫クロマト分析装置によれば、検体中のデングウイルスを優れた感度で検出できることがわかった。
【０１４６】
さらに、本発明の免疫クロマト分析装置によれば、デングウイルスと相同性の高い他のウイルスに対して交叉反応を起こさず、デングウイルスを特異的に検出できることが分かった。
【符号の説明】
【０１４７】
１  試料添加部
２  標識物質保持部
３  クロマトグラフ媒体部
４  検出部
５  吸収部
６  バッキングシート
【図１】
2020122773.tif 000006
【図２】
2020122773.tif 000007
【図３】
2020122773.tif 000008
【図４】
2020122773.tif 000009
【図５】
2020122773.tif 000010
【図６】
2020122773.tif 000011
【図７】
2020122773.tif 000012
【図８】
2020122773.tif 000013
【配列表】
2020122773000001.app